(57)【要約】【課題】金属製物品の管理に対応した物品管理システム、ＲＦタグシートおよび物品管理方法を提供する。【解決手段】複数のＲＦタグ１１は、ＲＦタグシート１０がスパッタターゲット３０とともにケース４０に収納され、ケース４０がアンテナシート２０の設置された棚５０に設置された設置状態において、スパッタターゲット３０のケース４０内における位置によらず、複数のＲＦタグ１１のうち少なくとも１つのＲＦタグ１１の一部が、アンテナシート２０の受信範囲内であって、アンテナシート２０に向かう直線上に、スパッタターゲット３０のケース４０内での移動範囲が含まれない配置で、ＲＦタグシート１０に固着される。【選択図】図１
2018181200.tif 000002
【特許請求の範囲】
【請求項１】
シート状の絶縁体と、管理対象の物品を識別するための識別情報を記憶し、前記絶縁体に固着される複数のＲＦタグとを備えるＲＦタグシートと、
前記複数のＲＦタグが発する前記識別情報を含む電波を捕捉し、前記識別情報を含む信号を送信するアンテナと、
前記アンテナから前記信号を受信し、前記信号に含まれる前記識別情報を読み取る読み取りユニットと、
前記読み取りユニットから前記識別情報を取得し、前記識別情報に基づいて、前記物品を管理する処理を実行する制御手段と、を備え、
前記複数のＲＦタグは、前記ＲＦタグシートが前記物品とともにケースに収納され、前記ケースが前記アンテナの設置された棚に設置された設置状態において、前記物品の前記ケース内における位置によらず、前記複数のＲＦタグのうち少なくとも１つのＲＦタグの一部が、前記アンテナの受信範囲内であって、前記アンテナに向かう直線上に、前記物品の前記ケース内での移動範囲が含まれない配置で、前記ＲＦタグシートに固着される、
物品管理システム。
【請求項２】
シート状の絶縁体と、管理対象の物品を識別するための識別情報を記憶し、前記絶縁体に固着される複数のＲＦタグとを備えるＲＦタグシートと、
前記複数のＲＦタグが発する前記識別情報を含む電波を捕捉し、前記識別情報を含む信号を送信するアンテナと、
前記アンテナから前記信号を受信し、前記信号に含まれる前記識別情報を読み取る読み取りユニットと、
前記読み取りユニットから前記識別情報を取得し、前記識別情報に基づいて、前記物品を管理する処理を実行する制御手段と、を備え、
前記複数のＲＦタグは、前記ＲＦタグシートが前記物品とともにケースに収納され、前記ケース内には、前記物品の前記ケース内での移動を制限するための固定治具が設置され、前記ケースが前記アンテナの設置された棚に設置された設置状態において、前記複数のＲＦタグのうち少なくとも１つのＲＦタグの一部が、前記アンテナの受信範囲内であって、前記アンテナに向かう直線上に、前記固定治具によって制限された前記物品の移動範囲が含まれない配置で、前記ＲＦタグシートに固着される、
物品管理システム。
【請求項３】
前記アンテナは、２次元通信を行うアンテナシートである、
請求項１または２に記載の物品管理システム。
【請求項４】
前記ＲＦタグシートは、前記設置状態における前記物品の水平方向の最大サイズよりも長い短辺を有する長方形状であり、
前記アンテナシートは、前記ＲＦタグシートの長辺の長さよりも短い短辺と、前記ＲＦタグシートの短辺の長さよりも長い長辺とからなる長方形状であり、
前記複数のＲＦタグは、前記ＲＦタグシートの第１の長辺の中点から前記第１の長辺に沿って基準値分シフトした点を覆う位置に固着される第１のＲＦタグと、前記第１の長辺とは異なる第２の長辺の中点から前記第２の長辺に沿って前記第１のＲＦタグとは反対方向に前記基準値分シフトした点を覆う位置に固着される第２のＲＦタグとを含む、
請求項３に記載の物品管理システム。
【請求項５】
前記基準値は、前記アンテナシートの短辺の半分の長さである、
請求項４に記載の物品管理システム。
【請求項６】
前記基準値は、前記アンテナシートの短辺の半分の長さよりも小さい、
請求項４に記載の物品管理システム。
【請求項７】
前記ＲＦタグシートは、前記設置状態における前記物品の水平方向の最大サイズよりも長い短辺を有する長方形状であり、
前記アンテナシートは、前記ＲＦタグシートの長辺の長さよりも短い短辺と、前記ＲＦタグシートの短辺の長さよりも長い長辺とからなる長方形状であり、
前記複数のＲＦタグは、前記ＲＦタグシートの四隅に固着される４つのＲＦタグを含む、
請求項３に記載の物品管理システム。
【請求項８】
長方形状のシート状である絶縁体と、
前記絶縁体に固着される複数のＲＦタグと、を備え、
前記複数のＲＦタグは、前記絶縁体の第１の長辺の中点から前記第１の長辺に沿って基準値分シフトした点を覆う位置に固着される第１のＲＦタグと、前記第１の長辺とは異なる第２の長辺の中点から前記第２の長辺に沿って前記第１のＲＦタグとは反対方向に前記基準値分シフトした点を覆う位置に固着される第２のＲＦタグとを含む、
ＲＦタグシート。
【請求項９】
長方形状のシート状である絶縁体と、
前記絶縁体に固着される複数のＲＦタグと、を備え、
前記複数のＲＦタグは、前記絶縁体の四隅に固着される４つのＲＦタグを含む、
ＲＦタグシート。
【請求項１０】
棚にアンテナを設置し、
シート状である絶縁体と、管理対象の物品を識別するための識別情報を記憶し、前記絶縁体に固着される複数のＲＦタグとを備えるＲＦタグシートを前記物品とともにケースに収納し、
前記ケースを前記棚に設置し、
前記複数のＲＦタグを、前記ＲＦタグシートを前記物品とともにケースに収納し、前記ケースを前記アンテナの設置された前記棚に設置した設置状態において、前記物品の前記ケース内における位置によらず、前記複数のＲＦタグのうち少なくとも１つのＲＦタグの一部が、前記アンテナの受信範囲内であって、前記アンテナに向かう直線上に、前記物品の前記ケース内での移動範囲が含まれない配置で、前記ＲＦタグシートに固着する、
物品管理方法。
【請求項１１】
棚にアンテナを設置し、
シート状である絶縁体と、管理対象の物品を識別するための識別情報を記憶し、前記絶縁体に固着される複数のＲＦタグとを備えるＲＦタグシートを前記物品とともに、前記物品のケース内での移動を制限するための固定治具が設置されたケースに収納し、
前記ケースを前記棚に設置し、
前記複数のＲＦタグを、前記ＲＦタグシートを前記物品とともにケースに収納し、前記ケースを前記アンテナの設置された前記棚に設置した設置状態において、前記複数のＲＦタグのうち少なくとも１つのＲＦタグの一部が、前記アンテナの受信範囲内であって、前記アンテナに向かう直線上に、前記固定治具によって制限された前記物品の移動範囲が含まれない配置で、前記ＲＦタグシートに固着する、
物品管理方法。
【発明の詳細な説明】
【技術分野】
【０００１】
本発明は、物品管理システム、ＲＦタグシートおよび物品管理方法に関する。
【背景技術】
【０００２】
ＲＦ（Radio Frequency）タグに格納された識別情報を含む電波をアンテナで受信して、リーダライタで読み取るＲＦＩＤ（Radio Frequency Identifier）システムが研究されている。そして、ＲＦＩＤシステムのアンテナとして、シート状のアンテナであるアンテナシートを利用する物品管理システムが実用化されている。この物品管理システムは、棚に敷設されたアンテナシートを介して、物品に付着されたＲＦタグをリーダライタで読み取ることによって、物品の置かれた棚の位置を把握することができる。
【０００３】
特許文献１には、物品の搬送用のパレットに、複数の同一情報を記憶させたＲＦタグを、支持ホルダを介して隣接するように取り付け、複数のＲＦタグからの信号を受信する認識システムが開示されている。この認識システムは、一部のＲＦタグに故障が発生した場合でも、残りの正常なＲＦタグから信号を受信することを目的としている。
【先行技術文献】
【特許文献】
【０００４】
【特許文献１】特開２００３−６７６８３号公報
【発明の概要】
【発明が解決しようとする課題】
【０００５】
ＲＦタグは、金属製物品に付着させると、リーダライタから放射される電波が金属で反射して、ＲＦタグから放射される微弱な応答波が金属面からの反射波で妨害されることがある。そこで、金属製物品を管理する方法として、金属製物品とＲＦタグとを別々にケースに収納することが考えられる。しかし、金属製物品、ＲＦタグおよび電波を捕捉するためのアンテナの位置関係によって、金属製物品の影響を受けてしまう。したがって、ＲＦタグが金属製物品の影響を受けないようにする工夫が必要である。このような問題に対し、特許文献１に記載された認識システムを適用して、ＲＦタグを複数設ける仕組みが考えられる。しかし、単にＲＦタグを複数設けても、複数のＲＦタグのすべてが金属製物品の影響を受けると読み取りができないという問題は、依然として解決されない。
【０００６】
本発明は、上記実情に鑑みてなされたものであり、金属製物品の管理に対応した物品管理システム、ＲＦタグシートおよび物品管理方法を提供することを目的とする。
【課題を解決するための手段】
【０００７】
上記目的を達成するために、本発明の第１の観点に係る物品管理システムは、
シート状の絶縁体と、管理対象の物品を識別するための識別情報を記憶し、前記絶縁体に固着される複数のＲＦタグとを備えるＲＦタグシートと、
前記複数のＲＦタグが発する前記識別情報を含む電波を捕捉し、前記識別情報を含む信号を送信するアンテナと、
前記アンテナから前記信号を受信し、前記信号に含まれる前記識別情報を読み取る読み取りユニットと、
前記読み取りユニットから前記識別情報を取得し、前記識別情報に基づいて、前記物品を管理する処理を実行する制御手段と、を備え、
前記複数のＲＦタグは、前記ＲＦタグシートが前記物品とともにケースに収納され、前記ケースが前記アンテナの設置された棚に設置された設置状態において、前記物品の前記ケース内における位置によらず、前記複数のＲＦタグのうち少なくとも１つのＲＦタグの一部が、前記アンテナの受信範囲内であって、前記アンテナに向かう直線上に、前記物品の前記ケース内での移動範囲が含まれない配置で、前記ＲＦタグシートに固着される。
【０００８】
上記目的を達成するために、本発明の第２の観点に係る物品管理システムは、
シート状の絶縁体と、管理対象の物品を識別するための識別情報を記憶し、前記絶縁体に固着される複数のＲＦタグとを備えるＲＦタグシートと、
前記複数のＲＦタグが発する前記識別情報を含む電波を捕捉し、前記識別情報を含む信号を送信するアンテナと、
前記アンテナから前記信号を受信し、前記信号に含まれる前記識別情報を読み取る読み取りユニットと、
前記読み取りユニットから前記識別情報を取得し、前記識別情報に基づいて、前記物品を管理する処理を実行する制御手段と、を備え、
前記複数のＲＦタグは、前記ＲＦタグシートが前記物品とともにケースに収納され、前記ケース内には、前記物品の前記ケース内での移動を制限するための固定治具が設置され、前記ケースが前記アンテナの設置された棚に設置された設置状態において、前記複数のＲＦタグのうち少なくとも１つのＲＦタグの一部が、前記アンテナの受信範囲内であって、前記アンテナに向かう直線上に、前記固定治具によって制限された前記物品の移動範囲が含まれない配置で、前記ＲＦタグシートに固着される。
【０００９】
前記アンテナは、２次元通信を行うアンテナシートであってもよい。
【００１０】
前記ＲＦタグシートは、前記設置状態における前記物品の水平方向の最大サイズよりも長い短辺を有する長方形状であり、
前記アンテナシートは、前記ＲＦタグシートの長辺の長さよりも短い短辺と、前記ＲＦタグシートの短辺の長さよりも長い長辺とからなる長方形状であり、
前記複数のＲＦタグは、前記ＲＦタグシートの第１の長辺の中点から前記第１の長辺に沿って基準値分シフトした点を覆う位置に固着される第１のＲＦタグと、前記第１の長辺とは異なる第２の長辺の中点から前記第２の長辺に沿って前記第１のＲＦタグとは反対方向に前記基準値分シフトした点を覆う位置に固着される第２のＲＦタグとを含んでもよい。
【００１１】
前記基準値は、前記アンテナシートの短辺の半分の長さであってもよい。
【００１２】
前記基準値は、前記アンテナシートの短辺の半分の長さよりも小さくてもよい。
【００１３】
前記ＲＦタグシートは、前記設置状態における前記物品の水平方向の最大サイズよりも長い短辺を有する長方形状であり、
前記アンテナシートは、前記ＲＦタグシートの長辺の長さよりも短い短辺と、前記ＲＦタグシートの短辺の長さよりも長い長辺とからなる長方形状であり、
前記複数のＲＦタグは、前記ＲＦタグシートの四隅に固着される４つのＲＦタグを含んでもよい。
【００１４】
上記目的を達成するために、本発明の第３の観点に係るＲＦタグシートは、
長方形状のシート状である絶縁体と、
前記絶縁体に固着される複数のＲＦタグと、を備え、
前記複数のＲＦタグは、前記絶縁体の第１の長辺の中点から前記第１の長辺に沿って基準値分シフトした点を覆う位置に固着される第１のＲＦタグと、前記第１の長辺とは異なる第２の長辺の中点から前記第２の長辺に沿って前記第１のＲＦタグとは反対方向に前記基準値分シフトした点を覆う位置に固着される第２のＲＦタグとを含む。
【００１５】
上記目的を達成するために、本発明の第４の観点に係るＲＦタグシートは、
長方形状のシート状である絶縁体と、
前記絶縁体に固着される複数のＲＦタグと、を備え、
前記複数のＲＦタグは、前記絶縁体の四隅に固着される４つのＲＦタグを含む。
【００１６】
上記目的を達成するために、本発明の第５の観点に係る物品管理方法は、
棚にアンテナを設置し、
シート状である絶縁体と、管理対象の物品を識別するための識別情報を記憶し、前記絶縁体に固着される複数のＲＦタグとを備えるＲＦタグシートを前記物品とともにケースに収納し、
前記ケースを前記棚に設置し、
前記複数のＲＦタグを、前記ＲＦタグシートを前記物品とともにケースに収納し、前記ケースを前記アンテナの設置された前記棚に設置した設置状態において、前記物品の前記ケース内における位置によらず、前記複数のＲＦタグのうち少なくとも１つのＲＦタグの一部が、前記アンテナの受信範囲内であって、前記アンテナに向かう直線上に、前記物品の前記ケース内での移動範囲が含まれない配置で、前記ＲＦタグシートに固着する。
【００１７】
上記目的を達成するために、本発明の第６の観点に係る物品管理方法は、
棚にアンテナを設置し、
シート状である絶縁体と、管理対象の物品を識別するための識別情報を記憶し、前記絶縁体に固着される複数のＲＦタグとを備えるＲＦタグシートを前記物品とともに、前記物品のケース内での移動を制限するための固定治具が設置されたケースに収納し、
前記ケースを前記棚に設置し、
前記複数のＲＦタグを、前記ＲＦタグシートを前記物品とともにケースに収納し、前記ケースを前記アンテナの設置された前記棚に設置した設置状態において、前記複数のＲＦタグのうち少なくとも１つのＲＦタグの一部が、前記アンテナの受信範囲内であって、前記アンテナに向かう直線上に、前記固定治具によって制限された前記物品の移動範囲が含まれない配置で、前記ＲＦタグシートに固着する。
【発明の効果】
【００１８】
本発明によれば、金属製物品の管理に対応した物品管理システム、ＲＦタグシートおよび物品管理方法を提供することができる。
【図面の簡単な説明】
【００１９】
【図１】本発明の第１実施形態に係る物品管理システムの構成図
【図２】本発明の第１実施形態に係るアンテナシートの平面図
【図３】本発明の第１実施形態に係るアンテナシートの図２におけるIII−III線断面図
【図４】本発明の第１実施形態に係るスパッタターゲットの平面図
【図５】本発明の第１実施形態に係るスパッタターゲットの図４におけるV−V線断面図
【図６】本発明の第１実施形態に係るスパッタターゲットとＲＦタグシートとが収納されたケースの断面図
【図７】本発明の第１実施形態に係るＲＦタグシートの平面図
【図８】本発明の第２実施形態に係るＲＦタグシートの平面図
【図９】本発明の第３実施形態に係るＲＦタグシートの平面図
【図１０】本発明の第４実施形態に係るケースの平面図
【図１１】本発明の第４実施形態に係るＲＦタグシートの平面図
【図１２】本発明の実施例２に係るＲＦタグシートの平面図
【図１３】本発明の実施例２に係るＲＦタグシートの平面図
【発明を実施するための形態】
【００２０】
（第１実施形態）
本発明に係る物品管理システムを、金属製物品としてのスパッタターゲットの管理システムに適用した実施の形態について、図面を参照して説明する。
【００２１】
図１に示すように、本実施形態の物品管理システム１は、スパッタターゲット３０の入出庫、ロケーション等を管理するシステムである。制御装置２００は、ＲＦ（Radio Frequency）タグシート１０から、管理対象の金属製物品であるスパッタターゲット３０を識別するための識別情報を取得する。具体的には、制御装置２００がリーダライタ１００を制御し、アンテナシート２０を介して、スパッタターゲット３０とともにケース４０に収納されたＲＦタグシート１０から電波を受信する。また、制御装置２００は、リーダライタ１００を制御することにより、アンテナシート２０を介して、ＲＦタグ１１に電波を送信して識別情報を書き込む。
【００２２】
物品管理システム１は、ＲＦタグシート１０と、アンテナシート２０と、ケース４０と、棚５０と、リーダライタ１００と、制御装置２００とを備える。
【００２３】
ＲＦタグシート１０は、長方形状のポリプロピレン、ポリエチレン等の樹脂から形成された絶縁体シートの表面に、複数のＲＦタグ１１が接着されたものである。複数のＲＦタグ１１には、管理対象物品であるスパッタターゲット３０を識別するための識別情報が格納されている。１枚のＲＦタグシート１０に接着された複数のＲＦタグ１１には、同一のスパッタターゲット３０であることを識別するため、同一の識別情報が格納されている。
【００２４】
ＲＦタグ１１は、電力を供給するための電波を受信すると、スパッタターゲット３０を識別するための識別情報を含む電波を放射するパッシブタグである。識別情報は、例えば、数値やアルファベットにより構成される文字列で表される。ＲＦタグ１１が受信および送信する電波の周波数は、ＵＨＦ帯域の周波数であり、例えば、９２０ＭＨｚである。
【００２５】
アンテナシート２０は、２次元通信技術を適用した通信用シートである。２次元通信技術は、線状のケーブルを媒体として１次元方向に通信する１次元通信および空気を媒体として３次元方向に通信する３次元通信とは異なり、平面状のシートを媒体として２次元方向に通信する通信方式である。アンテナシート２０は、リーダライタ１００から供給された電波を、シート面であるＸ−Ｙ平面方向に伝播しつつ、アンテナシート２０の表面から漏れさせる機能を有する。アンテナシート２０は、リーダライタ１００から供給された電波をＲＦタグ１１に供給する機能と、ＲＦタグ１１から供給された電波をリーダライタ１００に供給する機能と、を有する。
【００２６】
スパッタターゲット３０は、金属の薄膜を生成するための成膜材料である。スパッタターゲット３０は、金、白金、ロジウム、パラジウム、クロム、コバルト、アルミニウム、ニッケル、銀、銅、鉄、チタン、タンタル、イリジウム、インジウム、ガリウム、ルテニウム、亜鉛、ゲルマニウム、マンガン、タングステン等の金属製ないしこれら金属を含む合金製の金属製物品である。スパッタターゲット３０は、本実施形態に係る物品管理システム１の管理対象の物品である。
【００２７】
ケース４０は、スパッタターゲット３０をＲＦタグシート１０とともに収納するための上部開口箱型である樹脂製のケースである。ケース４０には、スパッタターゲット３０の取扱いに関する指示書も収納する。ケース４０は、ＲＦタグシート１０がぴったり収まる程度の大きさの収納領域を有する。すなわち、ＲＦタグシート１０は、ケース４０に収納された状態では、周囲をケース４０に囲われているため、平面方向の動きが制限される。一方、スパッタターゲット３０は、ケース４０の収納領域よりも小さく、ケース４０の中で平面方向に動くものである。
【００２８】
棚５０は、ケース４０を設置するための棚である。棚５０は、例えば、樹脂製の板から形成される。複数のスパッタターゲット３０を管理する場合は、１つの棚５０にケース４０を複数個、例えば４つ程度まで並べることができる大きさである。また、複数の棚５０は、鉛直方向に複数個連なる構成としても良いし、別個に独立した構成としても良い。棚５０には、アンテナシート２０が敷設される。棚５０に敷設されたアンテナシート２０は、ＲＦタグシート１０がスパッタターゲット３０とともにケース４０に収納され、ケース４０が棚５０に設置された設置状態において、ＲＦタグ１１から送信される電波を受信する受信範囲となる。
【００２９】
リーダライタ１００は、制御装置２００による制御に従って、ＲＦタグ１１に格納された識別情報を読み取ったり、ＲＦタグ１１に識別情報を書き込んだりする。リーダライタ１００は、通信ケーブルを介して、制御装置２００と接続される。また、リーダライタ１００は、通信ケーブル１１０を介して、アンテナシート２０と接続される。リーダライタ１００は、制御装置２００から識別情報の読み取りを指示する情報を受信した場合、電力供給のための電波に応じた電気信号をアンテナシート２０に送信する。そして、リーダライタ１００は、アンテナシート２０が識別情報を含む電波を受信した場合、この電波に応じた電気信号をアンテナシート２０から受信する。リーダライタ１００は、受信した電気信号により示される識別情報を制御装置２００に送信する。このように、リーダライタ１００は、アンテナシート２０から信号を受信し、信号に含まれる識別情報を読み取る読み取りユニットとして機能する。また、リーダライタ１００は、制御装置２００から識別情報の書き込みを指示する情報を受信した場合、識別情報を含む電気信号をアンテナシート２０に送信する。
【００３０】
通信ケーブル１１０は、リーダライタ１００とアンテナシート２０とを接続するためのケーブルである。通信ケーブル１１０は、信号線とグランド線とを含む同軸ケーブルである。
【００３１】
制御装置２００は、リーダライタ１００による識別情報の読み込みや書き込みを制御する。制御装置２００は、通信ケーブル１１０を介して、識別情報の読み取りをリーダライタ１００に指示し、読み出された識別情報をリーダライタ１００から受信する。また、制御装置２００は、通信ケーブル１１０を介して、識別情報の書き込みをリーダライタ１００に指示する。制御装置２００は、例えば、ノートパソコン、タブレット端末、スマートフォンなどの端末装置である。
【００３２】
次に、アンテナシート２０の構造について、詳細に説明する。図２は、アンテナシート２０をＺ軸方向の正の方向から見た平面図である。図２に示すように、アンテナシート２０は、正三角形の開孔を多数有するメッシュ状の導体層を備える。このようなメッシュパターンを有するアンテナシート２０は、アンテナシート２０の近傍における電波強度が非常に高く、一方、アンテナシート２０からの距離が離れた場所における電波強度が非常に低くなる。このため、アンテナシート２０は、アンテナ感度が比較的低い通信相手と通信するのに好適である。つまり、アンテナシート２０は、ＲＦＩＤタグの読み取りに好適である。本実施形態では、アンテナシート２０の長手方向における長さは８００ｍｍであり、アンテナシート２０の幅方向における長さは１００ｍｍである。
【００３３】
図３は、図２におけるIII−III線の断面図である。図３に示すように、アンテナシート２０は、保護フィルム２２、第１の導体層２３、絶縁体層２４、第２の導体層２５、保護フィルム２６が、Ｚ軸方向における座標の大きい方から順に重ねられて構成される。
【００３４】
第１の導体層２３は、導体により構成され、メッシュ状の開孔が形成された層である。第１の導体層２３は、アンテナシート２０の内部を伝搬する電波を開孔から漏れ出させて、浸出領域２７を形成する機能を有する。第１の導体層２３は、例えば、Ｙ軸方向に伸びる複数の線状導体と、Ｙ軸に対して６０度の角度を有し、Ｘ軸に対して３０度の角度を有し、Ｘ−Ｙ平面と平行な第１の軸方向に伸びる複数の線状導体と、第１の軸に対して６０度の角度を有し、Ｘ−Ｙ平面と平行な第２の軸方向に伸びる複数の線状導体とが相互に交差することにより、複数の正三角形の開孔が形成された層である。本実施形態では、正三角形の一辺の長さは、１２．７ｍｍである。
【００３５】
第２の導体層２５は、導体により構成された平板状の層である。第２の導体層２５は、アンテナシート２０の内部を伝搬する電波が、アンテナシート２０の裏面から漏れ出ることを抑制する機能を有する。第１の導体層２３や第２の導体層２５のサイズ（Ｘ軸方向の長さ、Ｙ軸方向の長さ、Ｚ軸方向の長さ）は、例えば、１００ｍｍ×８００ｍｍ×０．０３２ｍｍである。第１の導体層２３や第２の導体層２５は、例えば、金、銀、銅、アルミ、鉄、各種の合金などの金属により構成される。
【００３６】
絶縁体層２４は、絶縁体（誘電体）により構成された層である。絶縁体層２４は、リーダライタ１００から放射された電波を、アンテナシート２０が広がる方向、つまり、Ｘ−Ｙ平面方向に伝搬する機能を有する。絶縁体層２４は、通信に用いられる電波の周波数（例えば、９２０ＭＨｚ）に応じた低誘電率の絶縁体であることが望ましい。例えば、絶縁体層２４は、発泡ポリオレフィンにより構成される。絶縁体層２４のサイズは、例えば、１００ｍｍ×８００ｍｍ×２ｍｍである。
【００３７】
保護フィルム２２は、絶縁体により構成された層である。保護フィルム２２は、第１の導体層２３の表面が傷つけられたり、第１の導体層２３の表面が外部の導体と接触したりすることを抑制する機能を有する。保護フィルム２６は、絶縁体により構成された層である。保護フィルム２６は、第２の導体層２５の表面が傷つけられたり、第２の導体層２５の裏面が外部の導体と接触したりすることを抑制する機能を有する。保護フィルム２２や保護フィルム２６は、例えば、ＰＥＴ（ポリエチレンテレフタレート）により構成される。
【００３８】
浸出領域２７は、アンテナシート２０内を伝搬する電波がアンテナシート２０の表面から漏れ出る領域である。つまり、アンテナシート２０は、リーダライタ１００から放射された電波を浸出領域２７に局在化させる。そして、リーダライタ１００の通信相手であるＲＦタグ１１がアンテナシート２０の表面付近に配置され、ＲＦタグ１１が浸出領域２７近傍にあるときに、リーダライタ１００とＲＦタグ１１との通信が可能となる。
【００３９】
電波インターフェース２１は、第１の電極２１０と、第２の電極２２０と、誘電体２３０と、を備える。電波インターフェース２１は、第１の電極２１０と第２の電極２２０とが、誘電体２３０とアンテナシート２０とを挟み込むように構成される。第１の電極２１０と第２の電極２２０とは、導体により構成された平板状の電極である。誘電体２３０は、誘電体により構成される。第１の電極２１０には、通信ケーブル１１０が備える信号線が接続される。第２の電極２２０には、通信ケーブル１１０が備えるグランド線が接続される。電波インターフェース２１は、リーダライタ１００から受信した電気信号に対応する電波を第１の電極２１０と第２の電極２２０との間に発生させ、発生させた電波をアンテナシート２０に注入する。また、電波インターフェース２１は、アンテナシート２０から供給された電波（第１の電極２１０と第２の電極２２０との間に発生した電波）に対応する電気信号を発生させ、発生させた電気信号をリーダライタ１００に送信する。第１の電極２１０、第２の電極２２０、誘電体２３０の大きさ、形状、素材は、例えば、通信に用いられる電波の周波数により決定される。
【００４０】
次に、ＲＦタグシート１０とスパッタターゲット３０をケース４０に収納する態様について、図面を参照して説明する。前提として、スパッタターゲット３０は、図４および図４のV−V線断面図である図５に示すように、円盤状の金属が２つ重なった形状の物品である。２つの円盤状の金属のうち、大きい方の円盤は、直径１８０ｍｍの円を底辺とする円柱から形成されている。スパッタターゲット３０の厚さは１０ｍｍである。
【００４１】
ＲＦタグシート１０とスパッタターゲット３０をケース４０に収納する際は、図６に示すように、ケース４０内の一番下には、スパッタターゲット３０が設置され、その上に、クリアケース７０が設置される。クリアケース７０には、一番下にＲＦタグシート１０が挟み込まれ、その上に、必要に応じて、１枚または複数枚の指示書６０が挟み込まれる。クリアケース７０の外寸は、ケース４０の内寸よりもわずかに小さいだけであるため、ケース４０に収納された状態では、クリアケース７０のＸ−Ｙ平面内の移動量は小さい。一方、スパッタターゲット３０は、ケース４０の内寸よりも小さく、Ｘ−Ｙ平面内の移動量はクリアケース７０よりも大きい。
【００４２】
次に、ケース４０の上から見たＲＦタグシート１０、スパッタターゲット３０およびアンテナシート２０の位置関係について、図７を参照して説明する。例えば、ＲＦタグシート１０に接着されたＲＦタグ１１が、ケース４０の上から見て、スパッタターゲット３０と重ならず、アンテナシート２０に重なっている場合は、そのＲＦタグ１１は読み取り可能である。逆に、ケース４０の上から見て、ＲＦタグ１１がスパッタターゲット３０に重なっている場合には、アンテナシート２０から放射された電波がスパッタターゲット３０で反射して、そのＲＦタグ１１から放射される応答波を妨害する。したがって、スパッタターゲット３０の位置によらず、いずれかのＲＦタグ１１がスパッタターゲット３０に重ならないような配置が必要である。
【００４３】
そこで、本実施形態に係るＲＦタグシート１０は、図７に示すように、ＲＦタグ１１ａおよびＲＦタグ１１ｂが配置される。ＲＦタグ１１ａおよびＲＦタグ１１ｂは、幅１０ｍｍ、長さ１００ｍｍである。ＲＦタグ１１ａはＲＦタグシート１０の第１の長辺に沿って配置される。ＲＦタグ１１ａは、第１の長辺の中点ＭａからＸ軸の負方向に５０ｍｍ分シフトした点Ｓａを覆う位置に配置される。ＲＦタグ１１ｂは、ＲＦタグシート１０の第１の長辺とは異なる第２の長辺に沿って配置される。ＲＦタグ１１ｂは、第１の長辺の中点ＭｂからＸ軸の正方向に５０ｍｍ分シフトした点Ｓｂを覆う位置に配置される。
【００４４】
アンテナシート２０は、棚５０のＸ軸方向の中心に配置される。これにより、図７に示すように、ＲＦタグ１１ａおよびＲＦタグ１１ｂは、いずれもアンテナシート２０に重なっているため、アンテナシート２０の受信範囲内である。ここで、ＲＦタグシート１０をケース４０に収納する際、Ｘ軸方向の向きが反対になる可能性がある。しかし、アンテナシート２０が棚５０のＸ軸方向の中心に配置されているため、ＲＦタグシート１０の長手方向がＸ軸方向である限り、ＲＦタグシート１０のＸ軸方向の向きに関わらず、ＲＦタグ１１ａおよびＲＦタグ１１ｂはいずれもアンテナシート２０の受信範囲内である。また、同様に、ＲＦタグ１１ａおよびＲＦタグ１１ｂの接着面がＺ軸正方向と負方向のいずれを向いているかに関わらず、ＲＦタグ１１ａおよびＲＦタグ１１ｂはいずれもアンテナシート２０の受信範囲内である。
【００４５】
スパッタターゲット３０は、ケース４０内でＸ−Ｙ平面方向に移動する。例えば、図７に示すように、ケース４０の中心に位置する場合、ＲＦタグ１１ａおよびＲＦタグ１１ｂのいずれとも重なっていない。仮に、スパッタターゲット３０が、図７に示す位置からＹ軸負方向に移動すると、ＲＦタグ１１ａと重なる場合がある。しかし、スパッタターゲット３０の移動する方向がＹ軸負方向である限り、ＲＦタグ１１ｂには重なることは無いため、少なくともＲＦタグ１１ｂはスパッタターゲット３０に重ならず、その影響を受けないため、ＲＦタグ１１ｂは読み取り可能である。逆に、スパッタターゲット３０が図７に示す位置からＹ軸正方向に移動すると、ＲＦタグ１１ｂと重なる場合がある。しかし、スパッタターゲット３０の移動する方向がＹ軸正方向である限り、ＲＦタグ１１ａには重なることは無いため、少なくともＲＦタグ１１ａはスパッタターゲット３０に重ならず、その影響を受けないため、ＲＦタグ１１ａは読み取り可能である。また、Ｙ軸方向に移動しない場合、スパッタターゲット３０はＲＦタグ１１ａにもＲＦタグ１１ｂにも近づくことはなく、ＲＦタグ１１ａおよびＲＦタグ１１ｂは読み取り可能である。
【００４６】
次に、物品管理システム１の動作について説明する。制御装置２００は、リーダライタ１００に識別情報の読み取りを指示する信号を送信する。リーダライタ１００は、制御装置２００から識別情報の読み取りを指示する信号を受信すると、複数のアンテナシート２０に対して、一定時間おきに、順に電気信号を送信する。この一定時間は、リーダライタ１００の読み取り性能、１つのアンテナシート２０が読み取るＲＦタグ１１の数などを考慮して設定され、例えば、５００ｍｓとする。
【００４７】
アンテナシート２０が電気信号を受信すると、電波インターフェース２１は、受信した電気信号に対応する電波を発生させ、シート面であるＸ−Ｙ平面方向に伝播しつつ、アンテナシート２０の表面から漏れさせる。これにより、受信範囲にあるＲＦタグ１１に電波を供給し、ＲＦタグ１１から識別情報を含む電波を受信する。そして、ＲＦタグ１１から受信した電波を、シート面であるＸ−Ｙ平面方向に伝播して、電波インターフェース２１に供給する。電波インターフェース２１は、供給された電波を電気信号に変換し、通信ケーブル１１０を介して、電気信号をリーダライタ１００に送信する。
【００４８】
リーダライタ１００は、受信した電気信号に含まれる識別情報を読み取り、制御装置２００に送信する。このようにして、制御装置２００は、複数の識別情報を取得して、スパッタターゲット３０が棚５０に収納されているか否かを一定時間おきに取得し、取得した情報を図示しない記憶装置に格納する。ユーザは、制御装置２００の図示しないインターフェースを操作して、記憶装置に格納された情報を取得して、スパッタターゲット３０がどの棚５０にいつ存在していたかを把握することによって、スパッタターゲット３０を管理する。
【００４９】
このようにして、制御装置２００は、リーダライタ１００から識別情報を取得し、識別情報に基づいて、スパッタターゲット３０を管理する処理を実行する制御手段として機能する。
【００５０】
本実施形態に係る物品管理システム１は、スパッタターゲット３０のケース４０内の位置によらず、ＲＦタグシート１０に接着されたいずれかのＲＦタグ１１を読み取ることができる。したがって、ユーザは、ケース内のスパッタターゲット３０の位置に注意を払う必要がない。また、物品管理システム１は、１つの棚５０にアンテナシート２０を１枚敷設すれば足り、ＲＦタグシート１０にＲＦタグ１１を２つ接着すれば足りるため、安価に実現可能である。
【００５１】
本実施形態におけるＲＦタグ１１ａおよびＲＦタグ１１ｂは、設置状態において、アンテナシート２０の長辺近くに配置される。図７に示す例において、点Ｍａ−点Ｓａ間の距離および点Ｍｂ−点Ｓｂ間の距離は、アンテナシート２０の形状を考慮した基準値である。ここでは、アンテナシート２０の幅が１００ｍｍであることを考慮して、その半分である５０ｍｍとしている。ただし、本発明の範囲はそれに限られものでは無く、管理対象となる物品の大きさを考慮して、例えば、基準値を４０ｍｍとしても良い。ただし、アンテナシート２０の幅の半分よりも大きい値では、ＲＦタグ１１ａおよびＲＦタグ１１ｂが同時にアンテナシート２０の受信範囲であることにはならないため、少なくとも、アンテナシート２０の幅の半分以下を基準値とする。
【００５２】
また、本明細書において、点を「覆う」位置とは、厳密に点を覆う位置である必要はなく、本発明の目的および機能を満たす限りにおいて、わずかな位置のずれがあっても良い。
【００５３】
また、本実施形態に係るＲＦタグシート１０には、同一の識別情報を格納されたＲＦタグ１１が複数枚接着されている例を例示した。しかし、本発明の範囲はこれに限られない。例えば、制御装置２００に接続された図示しない記憶装置に、スパッタターゲット３０と識別情報との対応表を格納しておく。制御装置２００は、記憶装置に格納された対応表を適宜参照して、識別情報ごとにどのスパッタターゲット３０と紐付いているかを把握する。このような方法により、別々の識別情報であっても同一の物品を示すことが可能となるため、１枚のＲＦタグシート１０に格納される識別情報が同一でなくてもよい。
【００５４】
本実施形態に係る物品管理システム１は、スパッタターゲットを管理対象としていたが、本発明の範囲はこれに限られない。特に、１つのケースに収納する物品が１つの物品に限定されるものではなく、例えば、複数のねじ、ボルト等の工具を収納した工具セットを管理対象としても良い。また、本発明の範囲が使用用途に限定されることはなく、金属製物品が管理可能なシステムであれば、その他の物品の管理に使用しても、本発明の範囲となることはもちろんである。また、このような実施形態とした場合には、逆に、制御装置２００が、すべてのＲＦタグ情報が読み取れた場合には、ケース内にＲＦタグシートのみが存在し、管理対象となる金属製物品が他の場所にあると判断して、その旨の表示をするようにすることも可能である。
【００５５】
（第２実施形態）
第１実施形態では、アンテナシート２０を棚５０の中心に敷設した場合に対応して、２つのＲＦタグ１１が接着されたＲＦタグシート１０の例を例示した。本実施形態では、アンテナシート２０を棚５０の端に設置して、隅にＲＦタグ１１が接着されたＲＦタグシート１０を採用した実施形態を、図面を参照して説明する。本実施形態では、第１実施形態との相違点を中心に説明する。
【００５６】
本実施形態に係るＲＦタグシート１０は、図８に示すように、四隅に４つのＲＦタグ１１ｃ、１１ｄ、１１ｅ、１１ｆを備える。それぞれのＲＦタグは同一の形状であり、長辺の長さが４９ｍｍ、短辺の長さが１８ｍｍの長方形状である。アンテナシート２０は、設置状態において、その長辺がＲＦタグシート１０の短辺の位置に重なっている。これにより、図８の配置であれば、ＲＦタグ１１ｅおよびＲＦタグ１１ｆが、いずれもアンテナシート２０の受信範囲内である。この場合、ＲＦタグシート１０をケース４０に収納する際、Ｘ軸方向の向きが反対になると、ＲＦタグ１１ｃおよびＲＦタグ１１ｄがアンテナシート２０の受信範囲内である。このように、ＲＦタグシート１０をケース４０に収納する際のＸ軸方向の向き、およびケース４０を棚５０に設置する際のＸ軸方向の向きによって、ＲＦタグ１１ｃおよびＲＦタグ１１ｄがアンテナシート２０の受信範囲内となるか、ＲＦタグ１１ｅおよびＲＦタグ１１ｆがアンテナシート２０の受信範囲内となるかが変わる。しかし、いずれにしても、４つのＲＦタグ１１ｃ、１１ｄ、１１ｅ、１１ｆのうち、２つが受信範囲となることに変わりは無い。
【００５７】
一方、スパッタターゲット３０は、本実施形態においても、ケース４０内でＸ−Ｙ平面方向に移動する。例えば、図８に示すように、ケース４０内におけるＸ軸正方向に最も大きく、Ｙ軸方向の中央の位置にスパッタターゲット３０がある場合、ＲＦタグ１１ｅおよびＲＦタグ１１ｆは、ともにスパッタターゲット３０に重ならず、その影響を受けないため、いずれも読み取り可能である。仮に、スパッタターゲット３０がその位置からＹ軸正方向に移動すると、ＲＦタグ１１ｆに重なる可能性があるが、ＲＦタグ１１ｅに重なることは無いため、少なくとも、ＲＦタグ１１ｅは読み取り可能である。反対に、スパッタターゲット３０が図８に示す位置からＹ軸負方向に移動すると、ＲＦタグ１１ｅに可能性があるが、ＲＦタグ１１ｆに重なることは無いため、少なくとも、ＲＦタグ１１ｆは読み取り可能である。
【００５８】
本実施形態に係る物品管理システム１は、スパッタターゲット３０のケース４０内の位置によらず、ＲＦタグシート１０に接着されたいずれかのＲＦタグを読み取ることができる。したがって、ユーザは、ケース内のスパッタターゲット３０の位置に注意を払う必要がない。また、物品管理システム１は、１つの棚５０にアンテナシートを１枚敷設すれば足りるため、安価に実現可能である。さらに、本実施形態に係るＲＦタグシート１０は、４隅にＲＦタグ１１ｃ、１１ｄ、１１ｅ、１１ｆが接着されているため、特に、管理対象の物品の形状が、Ｚ軸正方向から見て円形である場合、物品がＲＦタグ１１ｃ、１１ｄ、１１ｅ、１１ｆに重なりにくく、好適である。
【００５９】
（第３実施形態）
第１実施形態および第２実施形態では、金属非対応のＲＦタグであることを前提に、ＲＦタグ１１がスパッタターゲット３０からなるべく遠くに配置されるＲＦタグシート１０の例を例示した。本実施形態では、ＲＦタグ１１が金属対応のタグであることを前提として配置されたＲＦタグシートを採用した実施形態を、図面を参照して説明する。本実施形態では、第１実施形態との相違点を中心に説明する。
【００６０】
本実施形態に係るＲＦタグシート１０は、図９に示すように、長辺の長さが１８０ｍｍ、短辺の長さが２１ｍｍの長方形上のアルミテープ１２が接着され、その両端にアルミテープ１２とＲＦタグシート１０にまたがる位置に２つのＲＦタグ１１ｇ、１１ｈを備える。アルミテープ１２は、アルミニウム材を圧延したアルミ箔のテープであり裏面に接着剤を塗布して粘着テープとしたものである。それぞれのＲＦタグ１１ｇ、１１ｈは同一の形状であり、長辺の長さが４０ｍｍ、短辺の長さが２１ｍｍの長方形状である。
【００６１】
アンテナシート２０は、棚５０のＸ軸方向の中心に配置される。これにより、図９に示すように、アンテナシート２０とＲＦタグシート１０が重なり、ＲＦタグ１１ｇおよびＲＦタグ１１ｈがいずれもアンテナシート２０に重なっていて、アンテナシート２０の受信範囲内である。また、ＲＦタグシート１０をケース４０に収納する際、Ｘ軸方向の向きが反対になる可能性がある。しかし、アンテナシート２０が棚５０のＸ軸方向の中心に配置されているため、ＲＦタグシート１０の長手方向がＸ軸方向である限り、ＲＦタグシート１０のＸ軸方向の向きに関わらず、ＲＦタグ１１ｇおよびＲＦタグ１１ｈはいずれもアンテナシート２０の受信範囲内である。また、同様に、ＲＦタグ１１ｇおよびＲＦタグ１１ｈの接着面がＺ軸正方向と負方向のいずれを向いているかに関わらず、ＲＦタグ１１ｇおよびＲＦタグ１１ｈはいずれもアンテナシート２０の受信範囲内である。
【００６２】
一方、スパッタターゲット３０は、本実施形態においても、ケース４０内でＸ−Ｙ平面方向に移動する。例えば、図９に示すように、ケース４０の中心に位置する場合、ＲＦタグ１１ｇおよびＲＦタグ１１ｈのいずれとも重なっていないが、距離が近い。この場合、ＲＦタグ１１ｇおよびＲＦタグ１１ｈが金属対応のタグであれば、スパッタターゲット３０との距離が近くても、完全に重なってしまわない限り、その影響は小さく、ＲＦタグ１１ｇおよびＲＦタグ１１ｈは読み取り可能である。
【００６３】
また、仮にスパッタターゲット３０が、図９に示す位置からＹ軸負方向に移動すると、ＲＦタグ１１ｇと重なる場合がある。しかし、スパッタターゲット３０がＹ軸負方向に移動する限り、ＲＦタグ１１ｈには重なることは無いため、少なくともＲＦタグ１１ｈはスパッタターゲット３０に重ならず、その影響を受けないため、ＲＦタグ１１ｈは読み取り可能である。逆に、スパッタターゲット３０が図７に示す位置からＹ軸正方向に移動すると、ＲＦタグ１１ｈと重なる場合がある。しかし、スパッタターゲット３０がＹ軸正方向に移動する限り、ＲＦタグ１１ｇには重なることは無いため、少なくともＲＦタグ１１ｇはスパッタターゲット３０に重ならず、その影響を受けないため、ＲＦタグ１１ｇは読み取り可能である。また、Ｙ軸方向に移動しない場合、スパッタターゲット３０はＲＦタグ１１ｇにもＲＦタグ１１ｈにも近づくことはなく、ＲＦタグ１１ｇおよびＲＦタグ１１ｈは読み取り可能である。
【００６４】
なお、一般に、金属対応タグは、近くに金属があると感度が上がることが知られている。そこで、アルミテープ１２を近くに貼り付けることによって、ＲＦタグ１１ｇおよびＲＦタグ１１ｈの感度が上がる。ただし、アルミテープ１２は必須ではなく、例えば、スパッタターゲット３０の大きさが、図９に示されるよりも小さい場合には、その影響は少なくなるため、アルミテープ１２は無くても良い。
【００６５】
本実施形態に係る物品管理システム１は、スパッタターゲット３０のケース４０内の位置によらず、ＲＦタグシート１０に接着されたいずれかのＲＦタグを読み取ることができる。したがって、ユーザは、ケース内のスパッタターゲット３０の位置に注意を払う必要がない。また、物品管理システム１は、１つの棚５０にアンテナシート２０を１枚敷設すれば足りるため、安価に実現可能である。さらに、本実施形態に係るＲＦタグシート１０は、金属対応のＲＦタグ１１ｇ、１１ｈが接着されているため、特に、管理対象の物品が金属である場合に、読み取り感度が下がりにくく、好適である。
【００６６】
（第４実施形態）
これまで、スパッタターゲット３０の位置によらず、いずれかのＲＦタグ１１が読み取れる位置となるように、複数のＲＦタグ１１が配置されたＲＦタグシート１０の例を例示した。以下では、スパッタターゲット３０の位置を制限することによって、いずれかのＲＦタグ１１が読み取れる位置となる実施形態を、図面を参照して説明する。
【００６７】
図１０に示すように、ケース４０には、２つの固定治具８０ａ、８０ｂが設置される。固定治具８０ａ、８０ｂは、樹脂製の直方体から形成され、ケース４０に接着される。これにより、スパッタターゲット３０は、移動を制限される。
【００６８】
本実施形態に係るＲＦタグシート１０は、図１１に示すように、短辺に２つのＲＦタグ１１ｉ、１１ｊを備える。それぞれのＲＦタグ１１ｉ、１１ｊは同一の形状であり、長辺の長さが４９ｍｍ、短辺の長さが１８ｍｍの長方形状である。アンテナシート２０は、設置状態において、その長辺がＲＦタグシート１０の短辺の位置に重なっている。これにより、図１１の配置であれば、ＲＦタグ１１ｊがアンテナシート２０の受信範囲内である。この場合、ＲＦタグシート１０をケース４０に収納する際、Ｘ軸方向の向きが反対になると、ＲＦタグ１１ｉがアンテナシート２０の受信範囲内である。このように、ＲＦタグシート１０をケース４０に収納する際のＸ軸方向の向き、およびケース４０を棚５０に設置する際のＸ軸方向の向きによって、ＲＦタグ１１ｉがアンテナシート２０の受信範囲内となるか、ＲＦタグ１１ｊがアンテナシート２０の受信範囲内となるかが変わる。しかし、いずれにしても、２つのＲＦタグ１１ｉ、１１ｊのうちのいずれかが受信範囲となることに変わりは無い。
【００６９】
また、スパッタターゲット３０は、２つの固定治具８０ａ、８０ｂによって移動を制限されているため、ＲＦタグ１１ｉおよびＲＦタグ１１ｊと重なることは無い。したがって、ＲＦタグ１１ｉおよびＲＦタグ１１ｊはいずれかが読み取り可能である。
【００７０】
このように、ケース４０内に固定治具８０ａ、８０ｂを置くことによって、スパッタターゲット３０が移動を制限されるため、ＲＦタグ１１の配置の制約が少なくなる。具体的には、スパッタターゲット３０が移動できない範囲にＲＦタグ１１を配置することによって、スパッタターゲット３０とＲＦタグ１１が重なることが無くなるため、アンテナシート２０と重なる位置であれば、ＲＦタグ１１は読み取り可能となる。
【００７１】
本実施形態に係る固定治具の形状は、直方体であったが、これに限られない。例えば、板状の部材を立てて置いても良い。また、棒状の部材を複数個立てて置いても良い。
【００７２】
以上、本発明の実施形態を説明したが、本発明を実施するにあたっては、種々の形態による変形及び応用が可能である。
【００７３】
本発明において、上記実施形態において説明した構成、機能、動作のどの部分を採用するのかは任意である。また、本発明において、上述した構成、機能、動作のほか、更なる構成、機能、動作が採用されてもよい。また、上述した実施形態は、適宜、自由に組み合わせても良い。また、本発明において採用可能な素材、サイズ、電気的特性などが、上記実施形態において示したものに限定されないことは勿論である。
【００７４】
上記実施形態に係るアンテナシート２０の第１の導体層２３に含まれるメッシュ状の開孔の形状が正三角形である例について説明した。本発明において、メッシュ状の開孔の形状は、正三角形に限定されないことは勿論である。メッシュ状の開孔の形状は、例えば、正三角形以外の三角形、三角形以外の多角形（長方形、正方形、平行四辺形、菱形、五角形、六角形など）、円形、楕円形などであってもよい。
【００７５】
上記実施形態では、電波の周波数として、ＵＨＦ帯の周波数（９２０ＭＨｚ）を採用する例について説明した。本発明において採用する電波の周波数は、この周波数に限定されない。例えば、マイクロ波の周波数（２．４５ＧＨｚ）を採用してもよい。
【００７６】
上記実施形態に係るアンテナシート２０は、ケース４０を設置した棚５０の上の棚５０の下面に設置しても、ケース４０を設置した棚５０に設置しても良い。また、いずれの場合も、ケース４０と棚５０の間に緩衝材を設置しても良い。特に、アンテナシート２０がケース４０を設置した棚５０に設置される場合には、緩衝材を設置することによって、アンテナシート２０から放射された電波に対するスパッタターゲット３０の影響を軽減することができる。
【００７７】
（実施例１）
第２実施形態および第３実施形態に係るＲＦタグシート１０の読み取り効果の確認のため、以下の内容でテストを行った。テスト実施条件は、表１の通りである。
【表１】
2018181200.tif 000003
【００７８】
リーダライタ１００の設定は、動作モードをマージンテストモードとした。このモードでは、リーダライタ１００の起動電力を１５ｄＢｍから３０ｄＢｍまで、１ｄＢｍずつ変えてテストを行うことによって、読み取り可能な電力を把握するものである。電波を供給する時間は、５００ｍｓとした。ケース４０の位置は、アンテナシート２０の中央、すなわち、給電点から４０ｃｍの位置にケース４０を設置した。
【００７９】
第３実施形態に係るＲＦタグシート１０のテストの実施結果は、表２の通りである。
【表２】
2018181200.tif 000004
【００８０】
アンテナシート２０がケース４０を設置した棚５０の上の棚５０の下面に設置されている場合と、ケース４０を設置した棚５０の上面に設置されている場合について、テストを行った。それぞれの場合について、ケース４０の下に緩衝材を敷くことによって、アンテナシート２０とＲＦタグシート１０の間の距離を変えてテストを行った。なお、「最小起動電力」とは、リーダライタ１００の起動電力を、１５ｄＢｍから３０ｄＢｍまでの１６通りの起動電力のうち、制御装置２００によってＲＦタグ１１ｇ、１１ｈに格納された情報の読み取りができた最小の起動電力である。「電波強度（最小起動電力）」とは、それぞれの最小の起動電力におけるＲＦタグ１１ｇ、１１ｈから受信した電波の強度である。また、「電波強度（３０ｄＢｍ）」とは、起動電力３０ｄＢｍにおけるＲＦタグ１１ｇ、１１ｈから受信した電波の強度である。なお、ＲＦタグシート１０の上にコピー紙５枚を重ねても値に変化は無かった。
【００８１】
また、第２実施形態に係るＲＦタグシート１０のテストの実施結果は、表３の通りである。
【表３】
2018181200.tif 000005
【００８２】
なお、第２実施形態に係るＲＦタグシート１０では、アンテナシート２０がケース４０を設置した棚５０の上の棚５０の下面に設置されている場合には、制御装置２００によるＲＦタグ１１ｃ、１１ｄ、１１ｅ、１１ｆに格納された情報の読み取りができなかった。
【００８３】
以上のテストにより、第２実施形態および第３実施形態に係るＲＦタグシート１０は、スパッタターゲット３０の影響を考慮しなければ、ＲＦタグ１１ｃ、１１ｄ、１１ｅ、１１ｆに格納された情報を読み取ることができることがわかった。なお、第１実施形態に係るＲＦタグシート１０は、第２実施形態と同様に金属非対応のＲＦタグ１１ａ、１１ｂを使用するため、第１実施形態のテスト結果は、第２実施形態と同様の結果になると考えられる。
【００８４】
（実施例２）
次に、表１のテスト実施条件の下で、第２実施形態および第３実施形態に係るＲＦタグシート１０について、スパッタターゲット３０の位置による読み取り可否を確認するテストを行った。
【００８５】
第３実施形態に係るＲＦタグシート１０について、アンテナシート２０がケース４０を設置した棚５０の上の棚５０の下面に設置されている場合と、ケース４０を設置した棚５０の上面に設置されている場合について、リーダライタ１００の起動電力を固定し、スパッタターゲット３０の位置を変えてテストを行った。スパッタターゲット３０の位置は、図１２に示す通りである。テストの結果は表４の通りである。
【表４】
2018181200.tif 000006
【００８６】
次に、第２実施形態に係るＲＦタグシート１０について、アンテナシート２０をケース４０が設置される棚５０の上面に設置して、リーダライタ１００の起動電力を固定し、スパッタターゲット３０の位置を変えてテストを行った。スパッタターゲット３０の位置は、図１３に示す通りである。テストの結果は表５の通りである。
【表５】
2018181200.tif 000007
【００８７】
テストの結果、第２実施形態および第３実施形態に係るＲＦタグシート１０について、スパッタターゲット３０の位置を変えても、いずれかのＲＦタグの読み取りが可能となっていることがわかった。
【符号の説明】
【００８８】
１…物品管理システム、１０…ＲＦタグシート、１１，１１ａ，１１ｂ，１１ｃ，１１ｄ，１１ｅ，１１ｆ，１１ｇ，１１ｈ，１１ｉ，１１ｊ…ＲＦタグ、１２…アルミテープ、２０…アンテナシート、２１…電波インターフェース、２２…保護フィルム、２３…第１の導体層、２４…絶縁体層、２５…第２の導体層、２６…保護フィルム、２７…浸出領域、３０…スパッタターゲット、４０…ケース、５０…棚、６０…指示書、７０…クリアケース、８０ａ，８０ｂ…固定治具、１００…リーダライタ、１１０…通信ケーブル、２００…制御装置、２１０…第１の電極、２２０…第２の電極、２３０…誘電体
【図１】
2018181200.tif 000008
【図２】
2018181200.tif 000009
【図３】
2018181200.tif 000010
【図４】
2018181200.tif 000011
【図５】
2018181200.tif 000012
【図６】
2018181200.tif 000013
【図７】
2018181200.tif 000014
【図８】
2018181200.tif 000015
【図９】
2018181200.tif 000016
【図１０】
2018181200.tif 000017
【図１１】
2018181200.tif 000018
【図１２】
2018181200.tif 000019
【図１３】
2018181200.tif 000020